【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
標的ゾーンにおけるプローブの組織内検査を促進するための装置であって、前記装置は、
変換器要素の２次元アレイを備える変換器アセンブリであって、前記２次元アレイは、複数の横方向アレイと、複数の縦方向アレイとを備え、各横方向アレイは、前記２次元アレイの横軸に沿って延在し、各縦方向アレイは、前記横軸を横断する前記２次元アレイの縦軸に沿って延在する、変換器アセンブリと、
プロセッサであって、
少なくとも１つの横方向アレイをアクティブ化することであって、前記少なくとも１つの横方向アレイは、前記標的ゾーンおよび前記プローブの進行方向を横断する横軸に沿って延在する、ことと
プログラムされたシーケンスにおいて２つまたはそれを上回る縦方向アレイを連続してアクティブ化することと、
前記少なくとも１つの横方向アレイから、前記標的ゾーンの横方向断面を備えるデータを受信することと、
前記２つまたはそれを上回る縦方向アレイから、前記プローブの少なくとも一部の縦方向断面を備えるデータを受信することと、
前記２つまたはそれを上回る縦方向アレイからのデータに基づいて、前記２次元アレイに対する前記プローブのプローブ先端の位置を判定することと、
前記少なくとも１つの横方向アレイからのデータに基づいて、前記標的ゾーンの横方向断面ビューを生成することであって、前記横方向断面ビューは、深度座標および横方向座標を有し、前記プローブ先端は、前記横方向断面ビュー内に対応する深度座標および横方向座標を有する、ことと、
前記横方向断面ビューを前記プローブ先端に対応する前記深度座標および横方向座標におけるプローブインジケータとともに表示することと
を行うように構成される、プロセッサと
を備える、装置。
【請求項２】
前記プロセッサはさらに、前記２次元アレイの複数の縦方向アレイのサブセットを備える、縦方向サンプリング窓を選択するように構成され、前記サブセットは、前記プローブの完全長の１つまたはそれを上回る縦方向断面を集合的に作成するように構成される、１つまたはそれを上回る縦方向アレイを備え、前記プロセッサは、前記縦方向サンプリング窓の１つまたはそれを上回る縦方向アレイを選択的にアクティブ化するように構成される、請求項１に記載の装置。
【請求項３】
前記プロセッサはさらに、前記プローブの位置または配向に基づいて、前記縦方向サンプリング窓の幅または前記縦方向サンプリング窓を備える前記複数の縦方向アレイのサブセットの選択を調節するように構成される、請求項２に記載の装置。
【請求項４】
前記プロセッサはさらに、前記プローブ先端の位置の判定において使用するための前記２次元アレイの複数の縦方向アレイのサブセットを選択するように構成され、前記サブセットは、前記プローブの完全長の１つまたはそれを上回る縦方向断面を集合的に作成するように構成される１つまたはそれを上回る縦方向アレイを備える、請求項１に記載の装置。
【請求項５】
前記２次元アレイはさらに、前記横軸に対して斜角に配向される対角軸に沿って延在する１つまたはそれを上回る対角線アレイを備え、前記プロセッサはさらに、前記１つまたはそれを上回る対角線アレイをアクティブ化し、前記１つまたはそれを上回る対角線アレイから、前記プローブの少なくとも一部の対角線断面を備えるデータを受信するように構成される、請求項１に記載の装置。
【請求項６】
前記１つまたはそれを上回る対角線アレイは、２つまたはそれを上回る対角線アレイを備え、前記プロセッサは、プログラムされたシーケンスにおいて前記２つまたはそれを上回る対角線アレイを連続してアクティブ化するように構成される、請求項２に記載の装置。
【請求項７】
前記少なくとも１つの横方向アレイおよび前記２つまたはそれを上回る縦方向アレイは、類似周波数において同時にアクティブ化される、請求項１に記載の装置。
【請求項８】
前記少なくとも１つの横方向アレイおよび前記２つまたはそれを上回る縦方向アレイは、異なる周波数において同時にアクティブ化される、請求項１に記載の装置。
【請求項９】
前記少なくとも１つの横方向アレイおよび前記２つまたはそれを上回る縦方向アレイは、実質的に干渉しない周波数において同時にアクティブ化される、請求項１に記載の装置。
【請求項１０】
前記２つまたはそれを上回る縦方向アレイは、前記２次元アレイの複数の縦方向アレイの全てを備え、前記プロセッサは、プログラムされたシーケンスにおいて前記複数の縦方向アレイをアクティブ化し、前記２次元アレイの全ての変換器要素をサンプリングするように構成される、請求項１に記載の装置。
【請求項１１】
前記プロセッサは、所定の時間間隔において前記プローブ先端の位置を判定し、各時間間隔において前記標的ゾーンの横方向断面の表示を更新し、前記プローブインジケータを各時間間隔において判定された前記プローブ先端の位置に対応する深度および横方向座標に示すように構成される、請求項１に記載の装置。
【請求項１２】
前記所定の時間間隔は、前記２つまたはそれを上回る縦方向アレイのプログラムされたシーケンスによるデータ取得率に実質的に合致する、請求項１１に記載の装置。
【請求項１３】
前記所定の時間間隔は、各アクティブ化された横方向アレイまたは縦方向アレイによるデータ取得率に実質的に合致する、請求項１２に記載の装置。
【請求項１４】
単一のアクティブ化された横方向アレイまたは縦方向アレイの全ての変換器要素は、同時にパルス化される、請求項１に記載の装置。
【請求項１５】
単一のアクティブ化された横方向アレイまたは縦方向アレイの変換器要素はそれぞれ、タイミングが合わせられたシーケンスにおいて個々にパルス化される、請求項１に記載の装置。
【請求項１６】
前記プロセッサは、前記少なくとも１つの横方向アレイおよび前記２つまたはそれを上回る縦方向アレイから受信されたデータに基づいて、前記標的ゾーンおよび前記プローブの３次元画像を生成するように構成される、請求項１５に記載の装置。
【請求項１７】
前記プローブインジケータは、１つまたはそれを上回る色、動画、もしくは他のソフトウェア生成特殊効果を使用して表示される、１つまたはそれを上回る記号もしくは形状を備える、請求項１に記載の装置。
【請求項１８】
前記プロセッサはさらに、２つまたはそれを上回る時間点における前記プローブ先端の位置に基づいて、前記プローブの投影されたプローブ経路を判定し、前記投影されたプローブ経路に対応する深度および横方向座標における投影されたプローブ軌道とともに、前記横方向断面ビューを表示するように構成される、請求項１に記載の装置。
【請求項１９】
前記２つまたはそれを上回る時間点のうちの１つは、前記標的ゾーンの中への前記プローブの挿入の挿入時間点であり、前記プローブ先端は、前記挿入時間点において既知の所定の位置にある、請求項１８に記載の装置。
【請求項２０】
前記投影されたプローブ軌道は、着色線、破線、点線、点滅線、または矢印のうちの１つもしくはそれを上回るものを備える、請求項１８に記載の装置。
【請求項２１】
前記プロセッサはさらに、前記２次元アレイに対して、前記標的ゾーン内の標的場所の位置を判定し、前記標的場所の位置が前記プローブ先端の位置に合致するとき、前記プローブ先端に対応する深度および横方向座標における標的命中インジケータとともに、前記横方向断面ビューを表示するように構成される、請求項１に記載の装置。
【請求項２２】
前記標的命中インジケータは、前記プローブインジケータの放射または光輝先端、前記プローブインジケータの点滅先端、または前記プローブインジケータの先端の色変化のうちの１つまたはそれを上回るものを備える、請求項２１に記載の装置。
【請求項２３】
前記プロセッサはさらに、前記少なくとも１つの横方向アレイまたは前記２つもしくはそれを上回る縦方向アレイからのデータに基づいて、前記標的ゾーンのトポグラフィ描出を生成および表示するように構成される、請求項１に記載の装置。
【請求項２４】
前記プロセッサはさらに、前記表示される横方向断面ビュー内の前記標的ゾーンの１つまたはそれを上回る組織構造を識別するように構成され、前記プロセッサは、前記少なくとも１つの横方向アレイまたは前記２つもしくはそれを上回る縦方向アレイからのデータを用いて判定されるような前記１つまたはそれを上回る組織構造の形状、密度、相対的位置、脈動性、もしくはエコー源性のうちの１つまたはそれを上回るものに基づいて、前記１つまたはそれを上回る組織構造を識別するように構成される、請求項１に記載の装置。
【請求項２５】
標的ゾーンにおけるプローブの組織内検査を促進するための装置であって、前記装置は、
変換器要素の２次元アレイを備える変換器アセンブリであって、前記２次元アレイは、複数の縦方向アレイを備える、変換器アセンブリと、
プロセッサであって、
プログラムされたシーケンスにおいて前記複数の縦方向アレイを連続してアクティブ化することと、
前記複数の縦方向アレイから、前記プローブの複数の縦方向断面を備えるデータを受信することと、
前記複数の縦方向アレイからのデータに基づいて、前記２次元アレイに対する前記プローブの位置および配向を判定することと、
前記プローブの位置および配向に基づいて、前記複数の縦方向アレイのサブセットを備える縦方向サンプリング窓を選択することであって、前記サブセットは、前記プローブの完全長にわたって前記プローブの１つまたはそれを上回る縦方向断面を集合的に作成するように構成される、１つまたはそれを上回る縦方向アレイを備える、ことと、
プログラムされたシーケンスにおいて前記縦方向サンプリング窓の１つまたはそれを上回る縦方向アレイを連続してアクティブ化することと
を行うように構成される、プロセッサと
を備える、装置。
【請求項２６】
前記プロセッサはさらに、前記プローブの位置および配向に基づいて、前記縦方向サンプリング窓の幅または前記縦方向サンプリング窓の複数の縦方向アレイのサブセットの選択を調節するように構成される、請求項２５に記載の装置。
【手続補正２】
【補正対象書類名】明細書
【補正対象項目名】００３４
【補正方法】変更
【補正の内容】
【００３４】
本明細書に開示される任意の実施形態では、窓は、アレイの一部に対応してもよく、プロセッサは、ハードウェア内に、窓とともに画定されたアレイの一部のみをサンプリングするための命令とともに構成されてもよい。
本発明は、例えば、以下を提供する。
（項目１）
標的ゾーンにおけるプローブの組織内検査を促進するための装置であって、前記装置は、
変換器要素の２次元アレイを備える変換器アセンブリであって、前記２次元アレイは、複数の横方向アレイと、複数の縦方向アレイとを備え、各横方向アレイは、前記２次元アレイの横軸に沿って延在し、各縦方向アレイは、前記横軸を横断する前記２次元アレイの縦軸に沿って延在する、変換器アセンブリと、
プロセッサであって、
少なくとも１つの横方向アレイをアクティブ化することであって、前記少なくとも１つの横方向アレイは、前記標的ゾーンおよび前記プローブの進行方向を横断する横軸に沿って延在する、ことと
プログラムされたシーケンスにおいて２つまたはそれを上回る縦方向アレイを連続してアクティブ化することと、
前記少なくとも１つの横方向アレイから、前記標的ゾーンの横方向断面を備えるデータを受信することと、
前記２つまたはそれを上回る縦方向アレイから、前記プローブの少なくとも一部の縦方向断面を備えるデータを受信することと、
前記２つまたはそれを上回る縦方向アレイからのデータに基づいて、前記２次元アレイに対する前記プローブのプローブ先端の位置を判定することと、
前記少なくとも１つの横方向アレイからのデータに基づいて、前記標的ゾーンの横方向断面ビューを生成することであって、前記横方向断面ビューは、深度座標および横方向座標を有し、前記プローブ先端は、前記横方向断面ビュー内に対応する深度座標および横方向座標を有する、ことと、
前記横方向断面ビューを前記プローブ先端に対応する前記深度座標および横方向座標におけるプローブインジケータとともに表示することと
を行うように構成される、プロセッサと
を備える、装置。
（項目２）
前記プロセッサはさらに、前記２次元アレイの複数の縦方向アレイのサブセットを備える、縦方向サンプリング窓を選択するように構成され、前記サブセットは、前記プローブの完全長の１つまたはそれを上回る縦方向断面を集合的に作成するように構成される、１つまたはそれを上回る縦方向アレイを備え、前記プロセッサは、前記縦方向サンプリング窓の１つまたはそれを上回る縦方向アレイを選択的にアクティブ化するように構成される、項目１に記載の装置。
（項目３）
前記プロセッサはさらに、前記プローブの位置または配向に基づいて、前記縦方向サンプリング窓の幅または前記縦方向サンプリング窓を備える前記複数の縦方向アレイのサブセットの選択を調節するように構成される、項目２に記載の装置。
（項目４）
前記プロセッサはさらに、前記プローブ先端の位置の判定において使用するための前記２次元アレイの複数の縦方向アレイのサブセットを選択するように構成され、前記サブセットは、前記プローブの完全長の１つまたはそれを上回る縦方向断面を集合的に作成するように構成される１つまたはそれを上回る縦方向アレイを備える、項目１に記載の装置。
（項目５）
前記２次元アレイはさらに、前記横軸に対して斜角に配向される対角軸に沿って延在する１つまたはそれを上回る対角線アレイを備え、前記プロセッサはさらに、前記１つまたはそれを上回る対角線アレイをアクティブ化し、前記１つまたはそれを上回る対角線アレイから、前記プローブの少なくとも一部の対角線断面を備えるデータを受信するように構成される、項目１に記載の装置。
（項目６）
前記１つまたはそれを上回る対角線アレイは、２つまたはそれを上回る対角線アレイを備え、前記プロセッサは、プログラムされたシーケンスにおいて前記２つまたはそれを上回る対角線アレイを連続してアクティブ化するように構成される、項目２に記載の装置。
（項目７）
前記少なくとも１つの横方向アレイおよび前記２つまたはそれを上回る縦方向アレイは、類似周波数において同時にアクティブ化される、項目１に記載の装置。
（項目８）
前記少なくとも１つの横方向アレイおよび前記２つまたはそれを上回る縦方向アレイは、異なる周波数において同時にアクティブ化される、項目１に記載の装置。
（項目９）
前記少なくとも１つの横方向アレイおよび前記２つまたはそれを上回る縦方向アレイは、実質的に干渉しない周波数において同時にアクティブ化される、項目１に記載の装置。
（項目１０）
前記２つまたはそれを上回る縦方向アレイは、前記２次元アレイの複数の縦方向アレイの全てを備え、前記プロセッサは、プログラムされたシーケンスにおいて前記複数の縦方向アレイをアクティブ化し、前記２次元アレイの全ての変換器要素をサンプリングするように構成される、項目１に記載の装置。
（項目１１）
前記プロセッサは、所定の時間間隔において前記プローブ先端の位置を判定し、各時間間隔において前記標的ゾーンの横方向断面の表示を更新し、前記プローブインジケータを各時間間隔において判定された前記プローブ先端の位置に対応する深度および横方向座標に示すように構成される、項目１に記載の装置。
（項目１２）
前記所定の時間間隔は、前記２つまたはそれを上回る縦方向アレイのプログラムされたシーケンスによるデータ取得率に実質的に合致する、項目１１に記載の装置。
（項目１３）
前記所定の時間間隔は、各アクティブ化された横方向アレイまたは縦方向アレイによるデータ取得率に実質的に合致する、項目１２に記載の装置。
（項目１４）
単一のアクティブ化された横方向アレイまたは縦方向アレイの全ての変換器要素は、同時にパルス化される、項目１に記載の装置。
（項目１５）
単一のアクティブ化された横方向アレイまたは縦方向アレイの変換器要素はそれぞれ、タイミングが合わせられたシーケンスにおいて個々にパルス化される、項目１に記載の装置。
（項目１６）
前記プロセッサは、前記少なくとも１つの横方向アレイおよび前記２つまたはそれを上回る縦方向アレイから受信されたデータに基づいて、前記標的ゾーンおよび前記プローブの３次元画像を生成するように構成される、項目１５に記載の装置。
（項目１７）
前記プローブインジケータは、１つまたはそれを上回る色、動画、もしくは他のソフトウェア生成特殊効果を使用して表示される、１つまたはそれを上回る記号もしくは形状を備える、項目１に記載の装置。
（項目１８）
前記プロセッサはさらに、２つまたはそれを上回る時間点における前記プローブ先端の位置に基づいて、前記プローブの投影されたプローブ経路を判定し、前記投影されたプローブ経路に対応する深度および横方向座標における投影されたプローブ軌道とともに、前記横方向断面ビューを表示するように構成される、項目１に記載の装置。
（項目１９）
前記２つまたはそれを上回る時間点のうちの１つは、前記標的ゾーンの中への前記プローブの挿入の挿入時間点であり、前記プローブ先端は、前記挿入時間点において既知の所定の位置にある、項目１８に記載の装置。
（項目２０）
前記投影されたプローブ軌道は、着色線、破線、点線、点滅線、または矢印のうちの１つもしくはそれを上回るものを備える、項目１８に記載の装置。
（項目２１）
前記プロセッサはさらに、前記２次元アレイに対して、前記標的ゾーン内の標的場所の位置を判定し、前記標的場所の位置が前記プローブ先端の位置に合致するとき、前記プローブ先端に対応する深度および横方向座標における標的命中インジケータとともに、前記横方向断面ビューを表示するように構成される、項目１に記載の装置。
（項目２２）
前記標的命中インジケータは、前記プローブインジケータの放射または光輝先端、前記プローブインジケータの点滅先端、または前記プローブインジケータの先端の色変化のうちの１つまたはそれを上回るものを備える、項目２１に記載の装置。
（項目２３）
前記プロセッサはさらに、前記少なくとも１つの横方向アレイまたは前記２つもしくはそれを上回る縦方向アレイからのデータに基づいて、前記標的ゾーンのトポグラフィ描出を生成および表示するように構成される、項目１に記載の装置。
（項目２４）
前記プロセッサはさらに、前記表示される横方向断面ビュー内の前記標的ゾーンの１つまたはそれを上回る組織構造を識別するように構成され、前記プロセッサは、前記少なくとも１つの横方向アレイまたは前記２つもしくはそれを上回る縦方向アレイからのデータを用いて判定されるような前記１つまたはそれを上回る組織構造の形状、密度、相対的位置、脈動性、もしくはエコー源性のうちの１つまたはそれを上回るものに基づいて、前記１つまたはそれを上回る組織構造を識別するように構成される、項目１に記載の装置。
（項目２５）
標的ゾーンにおけるプローブのリアルタイム監視を提供するための方法であって、前記方法は、
変換器アセンブリを前記標的ゾーンにわたって位置付けるステップであって、前記変換器アセンブリは、複数の横方向アレイおよび複数の縦方向アレイを有する変換器要素の２次元アレイを備える、ステップと、
少なくとも１つの横方向アレイをアクティブ化するステップであって、前記少なくとも１つの横方向アレイは、前記標的ゾーンおよび前記プローブの進行方向を横断する横軸に沿って延在する、ステップと、
プログラムされたシーケンスにおいて２つまたはそれを上回る縦方向アレイを連続してアクティブ化するステップであって、各縦方向アレイは、前記横軸を横断する縦軸に沿って延在する、ステップと、
前記少なくとも１つの横方向アレイから、前記標的ゾーンの横方向断面を備えるデータを得るステップと、
前記２つまたはそれを上回る縦方向アレイから、前記プローブの少なくとも一部の縦方向断面を備えるデータを得るステップと、
前記２つまたはそれを上回る縦方向アレイからのデータに基づいて、前記２次元アレイに対する前記プローブのプローブ先端の位置を判定するステップと、
前記少なくとも１つの横方向アレイからのデータに基づいて、前記標的ゾーンの横方向断面ビューを生成するステップであって、前記横方向断面ビューは、深度座標および横方向座標を有し、前記プローブ先端は、前記横方向断面ビュー内に対応する深度座標および横方向座標を有する、ステップと、
前記プローブ先端に対応する深度座標および横方向座標におけるプローブインジケータとともに、前記横方向断面ビューを表示するステップと
を含む、方法。
（項目２６）
前記２次元アレイの複数の縦方向アレイのサブセットを備える縦方向サンプリング窓を選択するステップをさらに含み、前記サブセットは、前記プローブの完全長の１つまたはそれを上回る縦方向断面を集合的に作成するように構成される１つまたはそれを上回る縦方向アレイを備え、２つまたはそれを上回る縦方向アレイをアクティブ化するステップは、前記縦方向サンプリング窓の１つまたはそれを上回る縦方向アレイを選択的にアクティブ化するステップを含む、項目２５に記載の方法。
（項目２７）
前記プローブの位置または配向に基づいて、前記縦方向サンプリング窓の幅または前記縦方向サンプリング窓を備える前記複数の縦方向アレイのサブセットの選択を調節するステップをさらに含む、項目２６に記載の方法。
（項目２８）
前記プローブの完全長の１つまたはそれを上回る縦方向断面を集合的に作成するように構成される１つまたはそれを上回る縦方向アレイを備える前記複数の縦方向アレイのサブセットを選択するステップをさらに含み、前記判定するステップは、前記複数の縦方向アレイのサブセットからのデータに基づいて、前記プローブ先端の位置を判定するステップを含む、項目２５に記載の方法。
（項目２９）
前記２次元アレイはさらに、前記横軸に対して斜角に配向される対角軸に沿って延在する、１つまたはそれを上回る対角線アレイを備え、前記方法はさらに、前記１つまたはそれを上回る対角線アレイをアクティブ化するステップと、前記１つまたはそれを上回る対角線アレイから、前記プローブの少なくとも一部の対角線断面を備えるデータを受信するステップとを含む、項目２５に記載の方法。
（項目３０）
前記１つまたはそれを上回る対角線アレイは、２つまたはそれを上回る対角線アレイを備え、前記２つまたはそれを上回る対角線アレイは、プログラムされたシーケンスにおいて連続してアクティブ化される、項目２６に記載の方法。
（項目３１）
前記少なくとも１つの横方向アレイおよび前記２つまたはそれを上回る縦方向アレイは、類似周波数において同時にアクティブ化される、項目２５に記載の方法。
（項目３２）
前記少なくとも１つの横方向アレイおよび前記２つまたはそれを上回る縦方向アレイは、異なる周波数において同時にアクティブ化される、項目２５に記載の方法。
（項目３３）
前記少なくとも１つの横方向アレイおよび前記２つまたはそれを上回る縦方向アレイは、実質的に干渉しない周波数において同時にアクティブ化される、項目２５に記載の方法。
（項目３４）
前記２つまたはそれを上回る縦方向アレイは、前記２次元アレイの複数の縦方向アレイの全てを備え、前記２つまたはそれを上回る縦方向アレイをアクティブ化するステップは、プログラムされたシーケンスにおいて前記複数の縦方向アレイをアクティブ化し、前記２次元アレイの全ての変換器要素をサンプリングするステップを含む、項目２５に記載の方法。
（項目３５）
前記判定するステップは、所定の時間間隔において前記プローブ先端の位置を判定するステップを含み、前記表示するステップは、各時間間隔において前記標的ゾーンの横方向断面を更新し、前記プローブインジケータを各時間間隔において判定された前記プローブ先端の位置に対応する深度および横方向座標に示すステップを含む、項目２５に記載の方法。
（項目３６）
前記所定の時間間隔は、前記２つまたはそれを上回る縦方向アレイのプログラムされたシーケンスによるデータ取得率に実質的に合致する、項目３５に記載の方法。
（項目３７）
前記所定の時間間隔は、各アクティブ化された横方向アレイまたは縦方向アレイによるデータ取得率に実質的に合致する、項目３５に記載の方法。
（項目３８）
単一のアクティブ化された横方向アレイまたは縦方向アレイの全ての変換器要素は、同時にパルス化される、項目２５に記載の方法。
（項目３９）
単一のアクティブ化された横方向アレイまたは縦方向アレイの変換器要素はそれぞれ、タイミングが合わせられたシーケンスにおいて個々にパルス化される、項目２５に記載の方法。
（項目４０）
前記少なくとも１つの横方向アレイおよび前記２つまたはそれを上回る縦方向アレイから受信されたデータに基づいて、前記標的ゾーンおよび前記プローブの３次元画像を生成および表示するステップをさらに含む、項目３９に記載の方法。
（項目４１）
前記プローブインジケータは、１つまたはそれを上回る色、動画、もしくは他のソフトウェア生成特殊効果を使用して表示される１つまたはそれを上回る記号もしくは形状を備える、項目２５に記載の方法。
（項目４２）
２つまたはそれを上回る時間点における前記プローブ先端の位置に基づいて、前記プローブの投影されたプローブ経路を判定するステップと、前記投影されたプローブ経路に対応する深度および横方向座標における投影されたプローブ軌道とともに、前記横方向断面ビューを表示するステップとをさらに含む、項目２５に記載の方法。
（項目４３）
前記２つまたはそれを上回る時間点のうちの１つは、前記標的ゾーンの中への前記プローブの挿入の挿入時間点であり、前記プローブ先端は、前記挿入時間点において既知の所定の位置にある、項目４２に記載の方法。
（項目４４）
前記投影されたプローブ軌道は、着色線、破線、点線、点滅線、または矢印のうちの１つもしくはそれを上回るものを備える、項目４２に記載の方法。
（項目４５）
前記２次元アレイに対して、前記標的ゾーン内の標的場所の位置を判定するステップと、前記標的場所の位置が前記プローブ先端の位置に合致するとき、前記プローブ先端に対応する深度および横方向座標における標的命中インジケータとともに、前記横方向断面ビューを表示するステップとをさらに含む、項目２５に記載の方法。
（項目４６）
前記標的命中インジケータは、前記プローブインジケータの放射または光輝先端、前記プローブインジケータの点滅先端、または前記プローブインジケータの先端の色変化のうちの１つまたはそれを上回るものを備える、項目４５に記載の方法。
（項目４７）
標的ゾーンにおけるプローブの組織内検査を促進するための装置であって、前記装置は、
変換器要素の２次元アレイを備える変換器アセンブリであって、前記２次元アレイは、複数の縦方向アレイを備える、変換器アセンブリと、
プロセッサであって、
プログラムされたシーケンスにおいて前記複数の縦方向アレイを連続してアクティブ化することと、
前記複数の縦方向アレイから、前記プローブの複数の縦方向断面を備えるデータを受信することと、
前記複数の縦方向アレイからのデータに基づいて、前記２次元アレイに対する前記プローブの位置および配向を判定することと、
前記プローブの位置および配向に基づいて、前記複数の縦方向アレイのサブセットを備える縦方向サンプリング窓を選択することであって、前記サブセットは、前記プローブの完全長にわたって前記プローブの１つまたはそれを上回る縦方向断面を集合的に作成するように構成される、１つまたはそれを上回る縦方向アレイを備える、ことと、
プログラムされたシーケンスにおいて前記縦方向サンプリング窓の１つまたはそれを上回る縦方向アレイを連続してアクティブ化することと
を行うように構成される、プロセッサと
を備える、装置。
（項目４８）
前記プロセッサはさらに、前記プローブの位置および配向に基づいて、前記縦方向サンプリング窓の幅または前記縦方向サンプリング窓の複数の縦方向アレイのサブセットの選択を調節するように構成される、項目４７に記載の装置。
（項目４９）
前記プロセッサは、前記２次元アレイの第２の面積より小さく定寸される寸法を伴う前記アレイの第１の面積に対応するように、前記窓を画定するための命令とともに構成され、前記アレイに結合される回路は、前記第１の面積より大きく定寸される前記第２の面積にわたってデータをサンプリングするように構成される、前記項目のいずれか１項に記載の装置または方法。
（項目５０）
前記窓は、前記アレイの一部に対応し、前記プロセッサは、ハードウェア内に、前記窓とともに画定された前記アレイの一部のみをサンプリングするための命令とともに構成される、前記項目のいずれか１項に記載の装置または方法。